(57)【特許請求の範囲】
【請求項１】
ロール状に巻かれた券紙を保持する保持部と；
前記保持部から繰り出される券紙を搬送する搬送部とを備え；
前記搬送部は、前記繰り出される券紙に搬送力を与えるフィードローラを有し；
前記繰り出される券紙と接触する、前記フィードローラの外周部にセラミックコーティングを施し；
前記保持部は、前記ロール状に巻かれた券紙を、前記ロール状に巻かれた券紙の中心を通る回転軸の回りに回転可能に保持するように構成され；
さらに前記保持部は、直列に配置された複数のサイドローラを有し；
前記複数のサイドローラが前記ロール状に巻かれた券紙の側面に前記側面の略中央部から外周部までをカバーして接触し、前記回転軸にほぼ直交する面に平行で、前記回転軸の近傍を通る軸の回りに回転可能に配置されることを特徴とする；
発券装置。
【発明の詳細な説明】
【０００１】
【発明の属する技術分野】
本発明は、ロール状に巻いた巻紙を搬出、切断、印刷して発券を行う、例えば自動券売機に用いられる発券装置に関するものである。
【０００２】
【従来の技術】
発券装置は、発券時に、ロール状に巻かれた券紙（以後ロール紙という。）の先端部分を、回転する一対のフィードローラ（送り出しローラ）の間に挟むことによって券一枚分に相当する規定の長さだけ送り出して、切断し、その後に券の表面に印刷する。フィードローラは一方のローラを金属製とし、ローラ表面にゴムを焼き付けた構造とし、他方のローラも金属製とし接触表面に切り込みを設けて券紙を挟み込む構造としていた。
【０００３】
また、券は裏面に磁気情報を書き込む磁気部を有するので、切断後この磁気部に券として必要な磁気情報を書き込んでいる。ここで用いられるロール紙は、１巻当りの券の発行枚数を多く取るため、発券装置への取り付け用であって中心部に配置したロール芯の外径を可能な限り小さくし、ロール紙の外径を可能な限り大きくしている。そのため、ロール紙の使い始めと使い終わりとの外径差が大きくなり、その使い始めにおいては外径が大きく、使い終わりにおいては外径が小さくなる。
【０００４】
【発明が解決しようとする課題】
フィードローラの上述のような機構により、フィードローラによる挟み込む力を大きくしてフィード力を大きくすると、券紙面に傷が付いて、券面への印刷及び券面の磁気部に悪影響を与える場合があり、またフィードローラのゴムの部分の摩耗も激しく、ゴム表面が劣化しフィード力が一定とならない場合があった。発券枚数が少ない場合はフィードローラの停止時間が長く、相手に押付けられる位置が長時間変化しないため、フィードローラのゴムの部分が接触位置において変形してしまう等の寿命上の問題があった。
【０００５】
また、ロール紙の巻きが緩んだ場合は、ロール紙の巻きの一部が横に（ロール紙の側面方向）ずれる巻きずれが発生し、この巻きずれがロール紙の側面ガイドに当たりロール紙の回転に対し抵抗トルクを発生させる。ロール紙の外径が大きい箇所に巻きずれが発生したときは、ロール紙が側面ガイドに当たることにより生ずる抵抗力が同じであっても、外径が小さい箇所に巻きずれが発生した場合に比べ、大きな回転負荷トルクとなる。
【０００６】
よって、巻きずれが発生する箇所によって回転負荷トルクがばらつき易いこととなる。また、巻きずれが生じた箇所の半径が同じでも、巻きずれを生じたロール紙の層数が違うと、ずれた券紙部分のガイドへの当り方の違いにより抵抗力がばらつき、これにより回転負荷トルクもばらつくことになる。
【０００７】
したがって、フィードローラ回転駆動用のモータの回転トルクから負荷トルクを引いたロール紙の回転、すなわち券紙の送りに使われる回転トルクに大きなばらつきが生じる。よって、ロール紙のフィード速度がばらつき、券紙のフィード量がばらつくので、その結果一定の長さの発券ができないことがあった。
【０００８】
そこで、本発明は、発行する券の品質を安定させ、当該券の長さを一定にすることができ、フィードローラの寿命が長い発券装置を提供することを目的とする。
【０００９】
【発明を解決するための手段】
上記目的を達成するために、請求項１に係る発明による発券装置は、図１、図４、図５に示すように、ロール状に巻かれた券紙2a、bを保持する保持部3a、bと；保持部3a、bから繰り出される券紙12a、bを搬送する搬送部4とを備え；搬送部4は、繰り出される券紙12a、bに搬送力を与えるフィードローラ6を有し；繰り出される券紙12a、bと接触する、フィードローラ6の外周部にセラミックコーティングを施し；保持部3a、bは、ロール状に巻かれた券紙2a、bを、ロール状に巻かれた券紙2a、bの中心を通る回転軸の回りに回転可能に保持するように構成され；さらに保持部3a、bは、直列に配置された複数のサイドローラ32a、bを有し；複数のサイドローラ32a、bがロール状に巻かれた券紙2a、bの側面に前記側面の略中央部から外周部までをカバーして接触し、前記回転軸にほぼ直交する面に平行で、前記回転軸の近傍を通る軸34a、bの回りに回転可能に配置されることを特徴とする。
【００１０】
このように構成すると、フィードローラの外周部に高強度を有するセラミックコーティングを施したので、例えばゴム製のフィードローラと比較して摩耗や変形が少なくなる。また、セラミックを塗布することにより、例えば金属製のフィードローラに切り込み加工を施した場合より接触面が細かくなるため、摩擦係数が大きくなり接触部が劣化しにくい。よって、フィードローラの券紙を挟み込む力を過度に大きくしなくても、フィードローラのフィード力を大きくし、このフィード力を維持することができる。
したがって、本発明の発券装置は、フィードローラが券紙の表面に接触しても、挟み込み力が券の印刷、券の磁気情報の書き込み部に与える影響が少なく、かつ長期的に安定した一定の長さの券を発行することができる。
【００１１】
サイドローラを前述のようにロール紙（ロール状の券紙）の側面に配設したので、サイドローラが券紙の回転に伴い側面に接触回転して券紙に対して連れ回ることにより、ロール紙にかかる側面負荷を少なくすることができる。またサイドローラは、ロール紙を構成する券紙がロールの側面方向にずれるのを抑える働きをする。よって、本発明の発券装置はロール紙の負荷抵抗を小さく一定に保つことができるので、一定の長さの券を発行することができる。
【００１２】
サイドローラの個数を複数としたので、サイドローラ上のすべりを小さくすることができ、ロール状の券紙の回転負荷トルクを小さくすることができる。
さらに、直列に配置された複数のサイドローラを前述のように配設したので、券紙の幅方向の巻きずれを防止し、ロール状の券紙の回転負荷抵抗を小さく一定に保つことができるので、本発明の発券装置は一定の長さの券を発行することが可能である。
【００１３】
本発明による発券装置は、ロール状に巻かれた券紙を保持する保持部と；前記保持部から繰り出される券紙を搬送する搬送部とを備え；前記ロール状に巻かれた券紙は、前記ロールの中心を通る回転軸の回りに回転可能であり；前記保持部は、サイドローラを有し；前記サイドローラが前記ロール状に巻かれた券紙の側面に接触し、前記回転軸にほぼ直交する面に平行で前記回転軸の近傍を通る軸の回りに回転可能であることを特徴としてもよい。
【００１５】
【発明の実施の形態】
以下、本発明の実施の形態について、図面を参照して説明する。なお、各図において互いに同一あるいは相当する部材には同一符号を付し、重複した説明は省略する。
【００１６】
図１は、本発明による発券装置の実施の形態を示す模式的正面断面図である。発券装置１は、裏面に磁気情報の書き込みが可能である帯状の券紙をロール状に巻いて形成した券紙、すなわちロール紙2a、b（2aは図３（ａ）参照）を備える。ロール紙2a、bは、保持部3a、bに保持されて垂直に配置され、隣り合わせに並んで配置されている（図３（ａ）参照）。ロール紙2bは図中手前側に配置され、ロール紙2aは図中ロール紙2bの向こう側に配置されている。ロール紙2a、bは、その中心を貫通し、保持部3a、bに設けられた本発明の回転軸としての支持軸21a、b（21aは図３（ａ）参照）上に、ガイド22a、bにより水平方向の移動を規制され回転可能に保持されている。ロール紙2bは、保持部3bの側面に取り付けられて配置されたガイド22a、bの間に挟まれている。ここで、ガイド22aは、ロール紙2aとロール紙2bの間に、配置されている。
【００１７】
ガイド22ａ、bには、回転軸が軸34a、b上に配置され、直列に配置された円筒状のサイドローラ32a、bがそれぞれ取り付けられ、以下のようにロール紙2a、bの側面に転動可能にそれぞれ接している。すなわち、サイドローラ32aはロール紙2aの側面とロール紙2bの側面に接し、サイドローラ32bはロール紙2bの、サイドローラ32aに接している側面とは反対側の側面に接している（図３（ａ）参照）。サイドローラ32a、bの軸34a、bは、ロール紙2a、bの略半径方向に配置されている（図４、５参照）。
【００１８】
ロール紙2a、bはロール形状の部分の最も高い箇所から分離し帯状の券紙12a、bとなって水平方向に繰り出されて移動し、さらにガイドローラ31によって鉛直下方に方向を変えられ後述の搬送部4に向かう。ガイドローラ31の鉛直方向下部の近傍に、この場所における券紙12a、bの有無を検出するためのセンサ14a、bが保持部3a、bに備えられている。センサ14a、bは、装填されたロール紙2a、bが使い切る直前の状態であることを検出するために用いられる。
【００１９】
発券装置１は、把手24a、bと、着脱押釦25a、bとを備える。把手24a、bは、ロール紙2a、bの交換時に各保持部3a、bを図中の矢印の方向にスライドさせるときに使用し、着脱押釦25a、bを押すことによって保持部3a、bをスライド可能な状態にすることができる。
発券装置１は、さらに、保持部3a、bにかかる荷重を支え、スライド中の保持部3a、bをガイドするレール部26a、bと、各保持部3a、bから繰り出された券紙12a、bを後述のように選択搬送する搬送部4とを備える。
【００２０】
搬送部4は、保持されたロール紙2a、bの鉛直方向下部に配置されており、帯状の券紙12a、bは搬送部4に入る際、搬送部4の入口ローラ58a、bによって水平方向に方向を変えられ、搬送部4を通過するまでこの方向に繰り出される。
【００２１】
発券装置１は、搬送部4から搬送された券紙12a、bを次段までガイドするガイドローラ15を備え、さらに券紙12a、bにフィード力を与えて搬送するフィードローラ5、6と、フィードローラ5、6を通過した後の券紙12a、bを顧客に手渡す大きさに切断する切断部7と、切断部7により切断された券10（切断により券紙12a、bが券10になるとする。）に必要情報を印字する印字部8と、さらに自動改札等による使用を可能とするために券10に必要情報を書き込む、磁気情報書き込み部18、19とを備える。フィードローラ6は図示しない駆動モータによって駆動され、フィードローラ5は作動時にフィードローラ6に追動するよう構成されている。また、フィードローラ5は、図示しないばねを介してフィードローラ6の方向に付勢されている。
【００２２】
発券装置１は、さらに、受皿20等の装置の最終段に券10を搬出する搬出部9を備え、搬出部9は、磁気情報書き込み部18、19をカバーする無端ベルト16、17と各ローラとを含んで構成される。ガイドローラ15を通過した券紙12a、bは略鉛直上方に向かい、磁気情報書き込み部18、19を通過した券10は略鉛直下方に向かうよう構成されている。なお、フィードローラ6が、本発明のフィードローラである。
【００２３】
図２に、フィードローラ5（図１参照）の下側に配置されたフィードローラ6の構造を示す。フィードローラ6は、軸6Bの両端に金属製の円板6Aが取り付けられて構成され、円板6Aの外周面及び円板6Aの側面の外周部近傍にセラミックコーティングが施されている。フィードローラ5は、その形状をフィードローラ6と同様の形状とし、全体をゴム製とするか、円板6Aに相当する部品の外周面及び当該部品の側面の外周部近傍にゴムを焼き付けた構造とするとよい。
【００２４】
フィードローラ6は、券紙12a、bとの接触面にセラミックコーティングを施したので、券紙との接触面に切り込みを設けたフィードローラとは違い、フィードローラ5との挟み込み圧力を小さくできるので、券紙にきずをつけることがなく、磁気情報を書き込む磁気部に接触したとしても、これを劣化させることがない。また、円板6Aの外周面が券紙12a、bの両端部近傍に接触するので、券紙12a、bの磁気情報を書き込む中央部分には接触せず券紙12a、bを確実に保護することができる。
【００２５】
フィードローラ6に前述のように、券紙12a、bとの接触面にセラミックコーティングを塗布したので、セラミックの細かい粒子がローラ表面にでき、券紙12a、bとの接触面において単位面積当たりの食い込みが増え、この食い込みが細かい粒子に起因しているため券紙12a、bに悪影響を及ぼすことなく、フィードローラ6の表面と券紙との摩擦係数を上げることができる。なお、フィードローラ6によって帯状の券紙12a、bの先端部が送りを受けることにより、ロール紙2a、bが回転する。
【００２６】
また、前述のようにフィードローラ6の接触面にセラミックコーティングを塗布したので、フィードローラ5のフィードローラ6への押付け力を小さくできるので、発券枚数が少ない場合にフィードローラの停止時間が長く、押付けられる位置が長時間変化しなくても、フィードローラ5のゴムの部分のフィードローラ6への接触箇所が変形してしまう等の問題が起こりにくくなった。
【００２７】
次に、図６、図７、図８及び図９を参照し搬送部4の構成についてに説明する。図６は本発明の実施の形態における搬送部4の模式的平面図、図７は図６のA−Aにおける断面図、図８は図６における第二搬送機構51bの部分拡大図、図９は図６のB方向から見た模式的側面断面図である。
【００２８】
図６に示したように、搬送部4は、第一搬送機構51aと、第二搬送機構51bと、前記両者の一方を選択的に駆動する駆動機構部60とを含んで構成される。両搬送機構51a、bは、搬送入口80a、bと搬送出口81a、bとを有し、第一搬送機構51aの搬送入口80aは第二搬送機構51bの搬送入口80bより僅かに高い位置に配置され（図７参照）、かつほぼ互いに横に並んだ状態で配置されている。第一搬送機構51aの搬送出口81aは第二搬送機構51bの搬送出口81bより僅かに高い位置で（図８参照）、搬送出口81bの真上に配置されている。
【００２９】
駆動機構部60は駆動モータ63を備え、駆動モータ63の回転は、第一搬送機構51aの装填機構部55aの構成部品であるフイードローラ64a及び第二搬送機構51bの装填機構部55bの構成部品であるフイードローラ64bに、駆動モータ63の回転方向に従って選択的に伝達される。
【００３０】
第二搬送機構51bは、保持部3bからの券紙12bの挿入を補助する入口ローラ58bと、底面板56bと上部板57b及び側面板からなる搬送路53bと、券紙12bの装填時に動作する装填機構部55bと、搬送路53b上の搬送入口80b近傍における券紙12bの有無を検知する入口検出センサ67bと、搬送出口81b近傍における券紙12bの有無を検知する出口検出センサ68bとを含んで構成される。
【００３１】
装填機構部55bは、押圧ローラ70bを備え、押圧ローラ70bはローラブラケット69bの先端に配置されたばね71bによってフィードローラ64b方向の付勢を受け、作動時にフイードローラ64bに追動する。
券紙12bは、入口ローラ58bによって略垂直の方向から水平な方向に曲げられ、底面板56bと上部板57bとの間を搬送路53bに沿い、フィードローラ64bと押圧ローラ70bとに挟まれて送り力を与えられて搬送される。このときロール紙2bは前述の搬送に伴い回転する。
【００３２】
なお、第一搬送機構51aの構成については、前述の第二搬送機構51bとほぼ同様のため異なる部分のみを以下に説明する。異なる構成として、まず第一搬送機構51aは、搬送路53aの幅方向の水平面に対する傾倒が第二搬送機構51bの搬送路53aとは逆になっている点が挙げられる（図７参照）。
【００３３】
次に、装填機構部55aの回転方向は、装填機構部55bの回転方向とは逆になっている点が挙げられる。また、券紙を装填・交換するためのフイードローラ64aと、ローラブラケット69a（図示せず）の先端にばね71a（図示せず）の付勢を受けフイードローラ64aに作動時に追動する押庄ローラ70aとの配置が、搬送路53aの面に対し第二搬送機構51bのフイードローラ64b、押庄ローラ70bと対称になっている点が挙げられる（ローラブラケット69a、ばね71aも同様にローラブラケット69b、ばね71bと対称）。フィードローラ64a、bを金属製とし、その券紙12a、bと接触する外周部にセラミックコーティングを施してもよい。
【００３４】
次に、一方の券紙12b（または券紙12a）により発券が為されている時に、他方の券紙12a（または券紙12b）を第一搬送機構51a（または第二搬送機構51b）に装填する場合の各搬送機構51a、bの動作を説明する。
第一搬送機構51aに券紙12aの挿入がなされ、入口検出センサ67aによって券紙12aが検出されると、駆動モータ63が図９においてJ方向（順方向）に回転し始める。この回転によりフイードローラ64aが回転（J1方向）し、押圧ローラ70aとの間に券紙12aの先端を挟み込むと装填が開始される。この時第二搬送機構51bにおいてフイードローラ64bは、J方向とは逆方向の回転すなわちK方向のみ場合に有効に動力が伝達されるように構成されているので、Ｊ方向の回転の場合には、フイードローラ64b及び押圧ローラ70bには駆動が伝達されない。
【００３５】
搬送路53aにおいて、券紙12aの搬送が進捗し、出口検出センサ68aまでの券紙12aの装填が出口検出センサ68aによって確認されると、駆動モータ63は駆動を終了し装填機構部55aによる動作が終了する。
【００３６】
搬送路53bの入口検出センサ67bによって券紙12bが検出され、ロール紙2bの挿入が確認された場合の装填動作は次の通りである。駆動モータ63が図９においてK方向に（逆方向）回転し、フイードローラ64bのみが回転（K1方向）することにより券紙の装填が達成され、他の構成要素は搬送路53aの場合と同様な作動をする。
【００３７】
券紙12a、bの装填時にはフィードローラ64a、bによって、券の発行時にはフィードローラ5、6によって、それぞれ帯状部の券紙12a、bの部分に繰り出し力が与えられて、ロール紙2a、bが回転する。ロール紙2a、bが回転すると、ガイド22aのサイドローラ32aがロール紙2aの一方の側面上を回転し、ガイド22bのサイドローラ32bがロール紙2bの一方の側面上を回転し、さらにサイドローラ32aがロール紙2bの他方の側面上を回転するので、ロール紙2a、bの回転負荷を低減できる。
また、ロール紙2a、bの巻きが緩んだ場合でも、サイドローラ32a、bによって幅方向の巻ずれの発生が抑制されるので、回転負荷トルクを増大させることを防ぐことができる。なお、ロール紙2aの他方の側面には装置本体の図示しない側壁がわずかな隙間を有して臨んでいるので、この方向のロール紙2aの巻きずれはこの側壁によって防止される。
【００３８】
ガイド22a、bのサイドローラ32a、bは、各々その直径及びその長さが等しい。その数をガイド22a,b当り各々６個としたので、１個当りのサイドローラ32a、bの長さが短い。よって、1個のサイドローラ32a、bの端から端までの速度差が小さく、サイドローラ32a、b上に発生するすべりが小さく、その分回転負荷トルクを小さくできる。一般にサイドローラ32a、bの個数を多くすれば、サイドローラ32a、b上のすべりを小さくすることができ、回転負荷トルクを小さくすることができる。
【００３９】
サイドローラ32a、bは、ロール紙2a、bの略中央部から外周部までをカバーしているので、ロール紙2a、bの巻きが緩んだ場合でも、幅方向に巻ずれを起こすことを確実に防止できる。サイドローラ32a、bの形状を円筒状とする代わりに、想像上の頂点がロールの中心に存在する一つの裁頭円錐を等間隔に例えば6分割した形状としてもよい。
【００４０】
【発明の効果】
前述のように、フィードローラの券紙と接触する外周部にセラミックコーティングを施したので、フィードローラと券紙の摩擦係数が増大し、このためフィードローラを介して安定してフィード力を券紙に作用させることができるので、発行する券の品質を安定させ、当該券の長さを一定にすることができ、さらにフィードローラの寿命を長くすることができる。
【００４１】
前述のようにロール状の券紙の側面に接触するローラを備えるので、券紙のいわゆる巻きずれを防止し、ロール状の券紙の回転抵抗を低くし一定にすることができる。よって、発行される券の長さを一定にすることができる。
【図面の簡単な説明】
【図１】本発明の発券装置1の一実施例における模式的正面断面図である。
【図２】図１に示す発券装置1のフィードローラ6の拡大図である。
【図３】（ａ）は、図１に示す発券装置1の模式的側面断面図である。（ｂ）は、同模式的部分正面断面図である。
【図４】サイドローラ32aを備えるガイド22aの部分拡大図である。
【図５】サイドローラ32bを備えるガイド22bの部分拡大図である。
【図６】図１に示す搬送部1の模式的平面図である。
【図７】図６のA−A断面図である。
【図８】図６に示す第二搬送機構51bの部分拡大図である。
【図９】図６のB方向から見た模式的側面断面図である。
【符号の説明】
１    発券装置
2a、b    ロール紙
3a、b    保持部
4       搬送部
5、6    フィードローラ
6a    円板
6b    軸
7    切断部
8    印字部
9    搬出部
10    券
12a、b  券紙
14a、b    センサ
15    ガイドローラ
16、17    無端ベルト
18、19    磁気情報書き込み部
20    受皿
21a、b    支持軸
22a、b    ガイド
24a、b    把手
25a、b    着脱押釦
26a、b    レール部
31a、b    ガイドローラ
32a、b    サイドローラ
34a、b    軸
51a    第一搬送機構
51b    第二搬送機構
53a、b    搬送路
55a、b    装填機構部
56a、b    底面板
57a、b    上部板
58a、b    入口ローラ
60    駆動機構部
63    駆動モータ
64a、b    フィードローラ
67a、b    入口検出センサ
68a、b    出口検出センサ
69a、b    ローラブラケット
70a、b    押圧ローラ
71a、b    ばね
80a、b    搬送入口
81a、b    搬送出口
【図１】
0004197376.tif 000002
【図２】
0004197376.tif 000003
【図３】
0004197376.tif 000004
【図４】
0004197376.tif 000005
【図５】
0004197376.tif 000006
【図６】
0004197376.tif 000007
【図７】
0004197376.tif 000008
【図８】
0004197376.tif 000009
【図９】
0004197376.tif 000010